(57)【要約】【課題】潜像を書き込む光書き込み装置に落下物が落下することによって画質が低下することを防止する。【解決手段】第１の可動部７６には、軸部７４よりも上部に付勢部材８０が取り付けられており、この付勢部材８０によって正面側へ向けて回転するように付勢されている。第２の可動部７８は、光書き込み装置６４の露光窓６５ａ〜６５ｄをそれぞれ開放する開口部８２ａ〜８２ｄを有する板状の部材であり、付勢部材８０が第１の可動部７６を付勢する力よりも弱い力の付勢部材８４によって背面側に向けて付勢させている。開閉カバーが作業者によって開かれると、第１の可動部７６は付勢部材８０によって正面側に向けて回転移動させられ、第２の可動部７８は第１の可動部７６によって開口部８２ａ〜８２ｄがそれぞれ露光窓６５ａ〜６５ｄの上方から離れるように正面側に移動して静止する。【選択図】図５
2008090045.tif 000002
【特許請求の範囲】
【請求項１】
像保持体と、この像保持体に潜像を書き込む光書き込み装置と、前記像保持体に書き込まれた潜像を現像剤により現像する現像手段と、前記像保持体が保持する現像剤像を前記光書き込み装置よりも上方で転写する転写手段と、前記光書き込み装置の非書き込み時に前記光書き込み装置を落下物から保護する保護手段とを有する画像形成装置。
【請求項２】
前記転写手段は、画像を形成される記録媒体に現像剤像を転写する請求項１記載の画像形成装置。
【請求項３】
前記転写手段に向けて記録媒体を搬送する記録媒体搬送路と、この記録媒体搬送路を開放可能に開閉する開閉部とをさらに有し、前記保護手段は、前記開閉部の開閉に応じて前記光書き込み装置を保護する請求項２記載の画像形成装置。
【請求項４】
前記像保持体は、前記開閉部が開かれた場合に着脱自在となるように支持されている請求項３記載の画像形成装置。
【請求項５】
前記保護手段は、前記光書き込み装置を現像剤から保護する請求項１乃至４いずれか記載の画像形成装置。
【請求項６】
前記光書き込み手段は、光を射出するための露光窓を有し、前記保護手段は、前記開閉部の開閉に応じてシャッターを開閉させることにより、前記露光窓を現像剤から保護する請求項５記載の画像形成装置。
【請求項７】
前記保護手段は、前記開閉部の開閉に応じて前記光書き込み装置を退避させることによって現像剤から保護する請求項５記載の画像形成装置。
【発明の詳細な説明】
【技術分野】
【０００１】
本発明は、複写機、ファクシミリ、プリンタ等の画像形成装置に関するものである。
【背景技術】
【０００２】
特許文献１は、走査式光学装置の露光部内へのトナーやホコリの進入を防止するために設けられた防塵ガラスを清掃する清掃部材を設けた画像形成装置を開示する。また、特許文献２は、開閉自在のカバーに連動してスライドする連結部材に連動して、レーザ書込み器の射出窓のシャッタ部材を窓遮蔽位置から窓開放位置へと移動させるレーザ記録装置を開示する。また、特許文献３は、本体に対して開閉自在の開閉カバーの回転移動に直接連動してシャッターを回転移動させ、レーザ光の遮断を行うレーザ走査装置を開示する。
【０００３】
【特許文献１】特開２００４−３３３７９９号公報
【特許文献２】特開平５−７２８２８号公報
【特許文献３】特開平５−１９６０３号公報
【発明の開示】
【発明が解決しようとする課題】
【０００４】
本発明は、潜像を書き込む光書き込み装置に落下物が落下することによって画質が低下することを防止することができる画像形成装置を提供することを目的とする。
【課題を解決するための手段】
【０００５】
上記目的を達成するため、本発明にかかる画像形成装置は、像保持体と、この像保持体に潜像を書き込む光書き込み装置と、前記像保持体に書き込まれた潜像を現像剤により現像する現像手段と、前記像保持体が保持する現像剤像を前記光書き込み装置よりも上方で転写する転写手段と、前記光書き込み装置の非書き込み時に前記光書き込み装置を落下物から保護する保護手段とを有する。
【０００６】
好適には、前記転写手段は、画像を形成される記録媒体に現像剤像を転写する。
【０００７】
また、好適には、前記転写手段に向けて記録媒体を搬送する記録媒体搬送路と、この記録媒体搬送路を開放可能に開閉する開閉部とをさらに有し、前記保護手段は、前記開閉部の開閉に応じて前記光書き込み装置を保護する。
【０００８】
また、好適には、前記像保持体は、前記開閉部が開かれた場合に着脱自在となるように支持されている。
【０００９】
また、好適には、前記保護手段は、前記光書き込み装置を現像剤から保護する。
【００１０】
また、好適には、前記光書き込み手段は、光を射出するための露光窓を有し、前記保護手段は、前記開閉部の開閉に応じてシャッターを開閉させることにより、前記露光窓を現像剤から保護する。
【００１１】
また、好適には、前記保護手段は、前記開閉部の開閉に応じて前記光書き込み装置を退避させることによって現像剤から保護する。
【発明の効果】
【００１２】
本発明によれば、潜像を書き込む光書き込み装置に落下物が落下することによって画質が低下することを防止することができる。
【発明を実施するための最良の形態】
【００１３】
次に本発明の実施形態を図面に基づいて説明する。
図１乃至図３において、本発明の第１の実施形態に係る画像形成装置１０が示されている。画像形成装置１０は、画像形成装置本体１２を有し、画像形成装置本体１２の上部には、例えば普通紙等の記録媒体が排出され、第１の排出部として用いられる上部排出部１４が形成されている。また、画像形成装置本体１２の背面（図１において左側）には、記録媒体が排出され、第２の排出部として用いられる排出トレー１５が設けられている。画像形成装置本体１２の上部は開閉カバー１６として構成され、この開閉カバー１６は図１に示される閉じられた位置と、図２に示される開かれた位置との間で開閉可能となっている。
【００１４】
画像形成装置本体１２の下部には、記録媒体供給装置１８が設けられている。記録媒体供給装置１８は、記録媒体を収納する記録媒体供給カセット２０を有し、記録媒体供給カセット２０の正面側（図１において右側）には、フィードロール２４、及びこのフィードロール２４に対向するリタードロール２６が配置されている。フィードロール２４は、記録媒体供給カセット２０に収納された記録媒体を記録媒体搬送方向に向けて供給し、リタードロール２６と協働して記録媒体を捌き、記録媒体が重送されることを防止する。
【００１５】
また、画像形成装置本体１２内には、記録媒体を静電気などにより吸着して搬送する搬送ベルト２８が例えば水平に配設されている。搬送ベルト２８は、記録媒体搬送方向上流側に設けられた張架ロール３０と、記録媒体搬送方向下流に設けられた張架ロール３２とによって張架される。張架ロール３０及び張架ロール３２は開閉カバー１６に装着されている。したがって、開閉カバー１６の開閉とともに、搬送ベルト２８は図１に示される記録媒体の搬送に用いられる第１の位置と、図２に示される第２の位置との間で移動する。搬送ベルト２８が第２の位置に移動することにより形成される開口部を介して、例えば、後述する記録媒体搬送路３４で記録媒体の搬送不良が生じた際に、その記録媒体を除去することができる。この実施例では、搬送ベルト２８は、開閉カバー１６に取り付けられた張架ロール３０及び張架ロール３２に張架され、開閉カバー１６の開閉に伴って第１の位置と第２の位置との間で移動するように構成されているが、開閉カバー１６と独立して第１の位置と第２の位置との間で移動するように搬送ベルト２８を設けてもよい。
【００１６】
記録媒体搬送路３４は、フィードロール２４から上部排出部１４又は排出トレー１５までの記録媒体通路であり、搬送ロール３３によって記録媒体が搬送される領域と、搬送ベルト２８によって記録媒体が搬送される領域とを有する。この記録媒体搬送路３４の搬送ベルト２８の下流側には後述する定着装置３６が配置され、搬送ベルト２８の上流側には後述する４つの転写装置６８と４つの感光体６０とが例えば水平に配置され、さらに上流側にレジストロール３８が配置されている。さらに、記録媒体搬送路３４の排出口近傍には排出ロール３９が配置されている。
【００１７】
定着装置３６の下流側には、逆転ロール４０が設けられている。逆転ロール４０は、定着装置３６で現像剤像の定着がなされた記録媒体の一部分を載置部４２へと下方に搬送した後に逆回転を開始し、記録媒体を上部排出部１４へと搬送する。また、逆転ロール７２は、正回転をすることで、定着装置３６で現像剤像の定着がなされた記録媒体を排出トレー１５へ搬送する。
【００１８】
逆転ロール４０の下方には、切替え手段として用いられる切替部材４４が設けられている。切替部材４４は、例えばソレノイド等により駆動され、定着装置３６で現像剤像の定着がなされ、逆転ロール４０を通過した記録媒体を排出トレー１５に排出するか、載置部４２に一時的に載置するかの切替えを行う。
【００１９】
搬送ベルト２８の上方には、反転路４６が設けられている。反転路４６は、定着装置３６で表側の面に現像剤像の定着がなされた記録媒体を搬送ロール４７ａ、４７ｂによって搬送し、反転させながら搬送ベルト２０の記録媒体搬送方向上流側に戻す。反転路４６により搬送された記録媒体は、レジストロール３８により所定のタイミングで搬送ベルト２８へと供給され、搬送ベルト２８で搬送がなされている間に裏側の面に現像剤像の転写がなされる。
【００２０】
逆転ロール４０の上方には、切替部材４８が設けられている。切替部材４８は、例えばソレノイド等により駆動され、載置部４２に載置された記録媒体が定着装置３６方向に誤搬送されることを防止し、記録媒体が上方へ搬送されるようにガイドする。
【００２１】
逆転ロール４０と排出ロール３９との間には、切替部材４８の上方に切替え手段として用いられる切替部材５０が設けられている。切替部材５０は、例えばソレノイド等により駆動され、載置部４２から搬送される記録媒体を反転路４６へと搬送するのか、上部排出部１４に排出するのかを切り替える。
【００２２】
また、画像形成装置本体１２の正面側（図１において右側）には、記録媒体供給部５２が設けられている。記録媒体供給部５２は、画像形成装置本体１２から突出する状態で画像形成装置本体１２に設けられ、記録媒体が手差しされる手差しトレー５４と、手差しトレー５４から記録媒体を供給する供給ロール５６とを有する。
【００２３】
したがって、記録媒体供給装置１８又は記録媒体供給部５２から供給される記録媒体は、記録媒体搬送路３４に導かれ、レジストロール３８により一時停止され、タイミングをとって後述する４つの転写装置６８と４つの感光体６０との間を通って現像剤像が転写され、この転写された現像剤像が定着装置３６により定着され、上部排出部１４又は排出トレー１５に排出される。
【００２４】
ただし、両面印刷の場合は、切替部材５０が反転路４６を開く側に切り換えられ、記録媒体は、反転路４６に導かれ、レジストロール３８、４つの転写装置６８と４つの感光体６０との間を通って現像剤像が転写され、この転写された現像剤像が定着装置３６により定着され、上部排出部１４又は排出トレー１５に排出される。
【００２５】
画像形成装置本体１２内の搬送ベルト２８の下方には、搬送ベルト２８によって搬送される記録媒体に現像剤像を形成する現像剤像形成部５８ａ〜５８ｄが設けられている。現像剤像形成部５８ａ〜５８ｄは、それぞれ略同じ構成にされており、形成する色がそれぞれ異なるようにされている。例えば、現像剤像形成部５８ａは記録媒体にイエローの現像剤を形成し、現像剤像形成部５８ｂは記録媒体にマゼンダの現像剤を形成し、現像剤像形成部５８ｃは記録媒体にシアンの現像剤を形成し、現像剤像形成部５８ｄは記録媒体にブラックの現像剤を形成する。そして、これらの現像剤像が搬送ベルト２８により搬送されている記録媒体の上で重ねあわされて、記録媒体にフルカラーの現像剤像が形成される。
【００２６】
現像剤像形成部５８ａ〜５８ｄは、それぞれ像保持体として用いられる感光体６０を有する。そして、この感光体６０の周辺に、感光体６０を帯電させる帯電装置６２と、帯電装置６２により帯電された感光体６０の表面にレーザ光を照射して潜像を書き込む光書き込み装置６４と、光書き込み装置６４により書き込まれた潜像を現像剤により現像する現像装置６６と、現像装置６６により感光体６０の表面に保持された現像剤像を記録媒体へと転写する転写装置６８と、転写装置６８により現像剤像の転写がなされた後の感光体６０の表面に残留する現像剤を除去するクリーニング装置７０とが配置されている（図３参照）。
光書き込み装置６４は、イエロー、マゼンダ、シアン及びブラックの潜像にそれぞれ対応するレーザ光を射出するための露光窓６５ａ〜６５ｄを有し、４つの感光体６０にそれぞれの色の潜像を個別に書き込む。また、光書き込み装置６４には、開閉カバー１６の開閉に連動して露光窓６５ａ〜６５ｄを保護する保護機構７２が設けられている（図４、５を用いて後述）。
なお、この実施形態では、現像剤像形成部５８ａ〜５８ｄのそれぞれに潜像を書き込む光書き込み装置６４は一体として構成されているが、光書き込み装置６４を現像剤像形成部５８ａ〜５８ｄごとに別体として構成してもよい。
【００２７】
現像剤像形成部５８ａ〜５８ｄをそれぞれ構成する部材のうち、感光体６０、帯電装置６２、現像装置６６、及びクリーニング装置７０は、画像形成装置本体１２に着脱可能なカートリッジ７４としてそれぞれ一体化されている。これらのカートリッジ７４は、図２に示されるように、搬送ベルト２８が第２の位置に移動した際に形成される開放部を介して、画像形成装置本体１２内に着脱される。このように、この実施形態では、搬送ベルト２８を第２の位置に移動させることで、搬送不良が生じた記録媒体の除去と、各カートリッジ７４の画像形成装置本体１２への着脱との両方が可能になるため画像形成装置１０の保守を行いやすい。
【００２８】
画像形成装置本体１２内には、現像剤像形成部５８ａ〜５８ｄで形成された現像剤像を記録媒体に定着する定着装置３６が設けられている。定着装置３６は加熱ロール３６ａと、加熱ロール３６ａに圧接される加圧ロール３６ｂとを有し、現像剤像を加熱し、加熱された現像剤像を記録媒体へと加圧することで、記録媒体に現像剤像を定着する。
【００２９】
次に、保護機構７２について詳述する。
図４において、開閉カバー１６が閉じられた状態における保護機構７２が示されている。
保護機構７２は、軸部７４を軸として回転移動可能に支持された第１の可動部７６と、図示しないガイドなどにより水平移動可能に支持された第２の可動部７８とを有する。第１の可動部７６には、軸部７４よりも上部に例えばバネなどの付勢部材８０が取り付けられており、この付勢部材８０によって正面側（図４において右側）へ向けて回転するように付勢されている。第２の可動部７８は、光書き込み装置６４の露光窓６５ａ〜６５ｄをそれぞれ開放する開口部８２ａ〜８２ｄを有する板状の部材であり、正面側端部に例えばバネなどの付勢部材８４が取り付けられている。付勢部材８４は、付勢部材８０が第１の可動部７６を付勢する力よりも弱い力で第２の可動部７８を背面側（図４において左側）に向けて付勢させている。
【００３０】
図４に示すように、開閉カバー１６は、作業者によって閉じられると、第１の可動部７６を付勢部材８０が付勢する力よりも強い力で背面側に押し、傾いて静止するように回転移動させる。第１の可動部７６が背面側に傾くと、第２の可動部７８は、反付勢部材８４側が開放され、付勢部材８４から受ける力により、開口部８２ａ〜８２ｄがそれぞれ露光窓６５ａ〜６５ｄの上方に位置するように背面側に移動して静止する。
したがって、光書き込み装置６４は、露光窓６５ａ〜６５ｄ及び開口部８２ａ〜８２ｄをそれぞれ介してレーザ光を４つの感光体６０に向けてそれぞれ射出することができる。
【００３１】
図５において、開閉カバー１６が開かれた状態における保護機構７２が示されている。
開閉カバー１６が作業者によって開かれると、第１の可動部７６は、付勢部材８０によって正面側に向けて回転移動させられて、所定の位置で静止するようにされている。また、第２の可動部７８は、付勢部材８４よりも強い力で付勢されている第１の可動部７６により、開口部８２ａ〜８２ｄがそれぞれ露光窓６５ａ〜６５ｄの上方から離れるように正面側に移動して静止する。
すなわち、開閉カバー１６が開かれることに連動して第２の可動部７８が露光窓６５ａ〜６５ｄそれぞれの上方をシャッターとして覆うので、開閉カバー１６が開かれた状態で落下物が露光窓６５ａ〜６５ｄに向けて落下しても、第２の可動部７８は、露光窓６５ａ〜６５ｄを落下物から保護することができる。
【００３２】
例えば、搬送ベルト２８による記録媒体の搬送不良が生じ、作業者が開閉カバー１６を開いて記録媒体搬送路３４内で停止している記録媒体を除去する場合に、停止した記録媒体に転写された未定着の現像剤が記録媒体から落下しても、開閉カバー１６が開かれることに連動して第２の可動部７８が露光窓６５ａ〜６５ｄの上方を覆っているので、露光窓６５ａ〜６５ｄに現像剤が付着することを防止することができる。つまり、第２の可動部７８は、露光窓６５ａ〜６５ｄを現像剤などの落下物から保護することができる保護部材となっている。
【００３３】
次に、本発明の第２の実施形態に係る画像形成装置１０について説明する。
図６及び図７において、本発明の第２の実施形態に係る画像形成装置１０が示されている。なお、本発明の第２の実施形態に係る画像形成装置において、図１乃至図３に示した本発明の第１の実施形態に係る画像形成装置１０を構成する部分と実質的に同一のものには、同一の符号が付してある。
【００３４】
ＬＥＤ８６ａ〜８６ｄは、４つの感光体６０の下方にそれぞれ配置され、イエロー、マゼンダ、シアン及びブラックの潜像にそれぞれ対応する光をそれぞれ射出し、４つの感光体６０にそれぞれの色の潜像を個別に書き込む光書き込み装置である。また、ＬＥＤ８６ａ〜８６ｄは、後述する支持部９６を中心にして揺動できるように第２の可動部９０に支持されているとともに、後述する規制部材９３ａ〜９３ｄから外力が加えられない場合には、図示しないバネなどの弾性部材によって射出部（上端部）が鉛直方向を向くようにされている。さらに、ＬＥＤ８６ａ〜８６ｄには、射出部を開閉カバー１６の開閉に連動して保護する保護機構８８が設けられている。
【００３５】
図８において、開閉カバー１６が閉じられた状態における保護機構８８が示されている。
なお、保護機構８８において、図４に示した保護機構７２を構成する部分と実質的に同一のものには、同一の符号が付してある。  保護機構８８は、軸部７４を軸として回転移動可能に支持された第１の可動部７６と、図示しないガイドなどにより水平移動可能に支持された第２の可動部９０と、この第２の可動部９０の移動を規制する規制部材９２と、ＬＥＤ８６ａ〜８６ｄの移動を規制する規制部材９３ａ〜９３ｄと、４つのキャップ９４とを有する。
【００３６】
第２の可動部９０は、４つの支持部９６と、下方に向けて突出する突起９８とを有し、正面側端部に例えばバネなどの付勢部材８４が取り付けられている。付勢部材８４は、付勢部材８０が第１の可動部７６を付勢する力よりも弱い力で第２の可動部９０を背面側（図８において左側）に向けて付勢している。規制部材９２は、第２の可動部９０の突起９８が正面側から接触した場合に、第２の可動部９０の背面側への移動を規制するように画像形成装置本体１２に固定されている。規制部材９３ａ〜９３ｄは、それぞれ例えば円柱状に形成されてＬＥＤ８６ａ〜８６ｄに接触するように画像形成装置本体１２に固定されており、ＬＥＤ８６ａ〜８６ｄが接触しつつ摺り動く範囲を規制する。キャップ９４は、第２の可動部９０が正面側に動いた場合に、ＬＥＤ８６ａ〜８６ｄの射出部（上端部）を覆うように配置されている。また、第２の可動部９０は、ＬＥＤ８６ａ〜８６ｄそれぞれが支持部９６を中心にして揺動できるように、ＬＥＤ８６ａ〜８６ｄそれぞれの下部を回転自在に支持している。
【００３７】
図８に示すように、開閉カバー１６は、作業者によって閉じられると、第１の可動部７６を付勢部材８０が付勢する力よりも強い力で背面側に押し、傾いて静止するように回転移動させる。第１の可動部７６が背面側に傾くと、第２の可動部９０は、反付勢部材８４側が開放され、付勢部材８４から受ける力により、突起９８が規制部材９２に接触するまで背面側へ移動して静止する。
突起９８が規制部材９２に接触すると、ＬＥＤ８６ａ〜８６ｄは、規制部材９３ａ〜９３ｄから外力が加えられないようになっている。また、ＬＥＤ８６ａ〜８６ｄは図示しない付勢手段によって起立方向に回動付勢されている。したがって、ＬＥＤ８６ａ〜８６ｄは、所定の位置で光を４つの感光体６０に向けてそれぞれ射出することができる。
【００３８】
図９において、開閉カバー１６が開かれた状態における保護機構８８が示されている。
開閉カバー１６が作業者によって開かれると、第１の可動部７６は、付勢部材８０によって正面側に向けて回転移動させられて、所定の位置で静止するようにされている。また、第２の可動部９０は、付勢部材８４よりも強い力で付勢されている第１の可動部７６により、正面側（図９において右側）に移動して静止する。
ここで、ＬＥＤ８６ａ〜８６ｄは、規制部材９３ａ〜９３ｄにそれぞれ接触しつつ、支持部９６を中心にして揺動し、射出部（上端部）がそれぞれキャップ９４の下方に移動するようにされている。すなわち、開閉カバー１６が開かれることに連動して第２の可動部９０が移動し、ＬＥＤ８６ａ〜８６ｄの射出部をキャップ９４がそれぞれ覆うので、開閉カバー１６が開かれた状態で落下物がＬＥＤ８６ａ〜８６ｄの射出部に向けて落下しても、ＬＥＤ８６ａ〜８６ｄの射出部をキャップ９４が落下物から保護することができる。
【００３９】
例えば、搬送ベルト２８による記録媒体の搬送不良が生じ、作業者が開閉カバー１６を開いて記録媒体搬送路３４内で停止している記録媒体を除去する場合に、停止した記録媒体に転写された未定着の現像剤が記録媒体から落下しても、開閉カバー１６が開かれることに連動してＬＥＤ８６ａ〜８６ｄがそれぞれキャップ９４の下方へ退避するので、ＬＥＤ８６ａ〜８６ｄの射出部に現像剤が付着することを防止することができる。つまり、キャップ９４は、ＬＥＤ８６ａ〜８６ｄを現像剤などの落下物から保護することができる保護部材となっている。  また、キャップ９４は、それぞれＬＥＤ８６ａ〜８６ｄの上端部に接触して射出部をクリーニングする機能を合わせ持つようにされてもよい。
【００４０】
なお、画像形成装置１０は、開閉カバー１６の上部に画像を読み取る画像読み取り装置を搬送ベルト２８に略平行になるように設ける構成であってもよい。
また、画像形成装置１０は、開閉カバー１６が開閉するための軸を、搬送ベルト２８による記録媒体の搬送方向に対して略平行に設け、開閉カバー１６がたとえば図２の紙面方向前後に開閉するように構成されてもよい。
【図面の簡単な説明】
【００４１】
【図１】本発明の第１の実施形態に係る画像形成装置の概要（開閉カバーを閉じた状態）を示す側面図である。
【図２】本発明の第１の実施形態に係る画像形成装置の概要（開閉カバーを開いた状態）を示す側面図である。
【図３】感光体の周辺を例示する拡大側面図である。
【図４】本発明の第１の実施形態に係る画像形成装置の開閉カバーが閉じられた状態における保護機構を示す断面図である。
【図５】本発明の第１の実施形態に係る画像形成装置の開閉カバーが開かれた状態における保護機構を示す断面図である。
【図６】本発明の第２の実施形態に係る画像形成装置の概要（開閉カバーを閉じた状態）を示す側面図である。
【図７】本発明の第２の実施形態に係る画像形成装置の概要（開閉カバーを開いた状態）を示す側面図である。
【図８】本発明の第２の実施形態に係る画像形成装置の開閉カバーが閉じられた状態における保護機構を示す断面図である。
【図９】本発明の第２の実施形態に係る画像形成装置の開閉カバーが開かれた状態における保護機構を示す断面図である。
【符号の説明】
【００４２】
１０    画像形成装置
１６    開閉カバー
２８    搬送ベルト
３４    記録媒体搬送路
５８ａ〜５８ｄ    現像剤像形成部
６０    感光体
６４    光書き込み装置
６５ａ〜６５ｄ    露光窓
６６    現像装置
６８    転写装置
７２、８８    保護機構
７４    カートリッジ
７６    第１の可動部
７８、９０    第２の可動部
８０    付勢部材
８２ａ〜８２ｄ    開口部
８４    付勢部材
８６ａ〜８６ｄ    ＬＥＤ
９２、９３ａ〜９３ｄ    規制部材
９４    キャップ
９６    支持部
９８    突起
【図１】
2008090045.tif 000003
【図２】
2008090045.tif 000004
【図３】
2008090045.tif 000005
【図４】
2008090045.tif 000006
【図５】
2008090045.tif 000007
【図６】
2008090045.tif 000008
【図７】
2008090045.tif 000009
【図８】
2008090045.tif 000010
【図９】
2008090045.tif 000011